(57)【要約】【課題】  電子スライド・プレゼンテーションにおいてアニメーション表示状態を一意的にラベル付けするためのシステムおよび方法を提供する。【解決手段】  本発明は、各々が複数のアニメーション表示状態を含む複数のスライドを受け取ること、および各々がアニメーション表示状態を識別するラベルを各アニメーション表示状態に付することを含む。【選択図】  図２
2007257640.tif 000002
【特許請求の範囲】
【請求項１】
電子スライド・プレゼンテーションにおいてアニメーション表示状態を一意的にラベル付けするための方法であって、
各々が複数のアニメーション表示状態を含む複数のスライドを受け取るステップと、
各アニメーション表示状態にラベルを付するステップであって、各ラベルはアニメーション表示状態を一意に識別する、ステップと、
を含む、方法。
【請求項２】
前記ラベルがページ番号である、請求項１に記載の方法。
【請求項３】
前記ラベルが連続的順序で付される、請求項１に記載の方法。
【請求項４】
前記スライドが状態を含み、その初期の状態が表示状態である、請求項１に記載の方法。
【請求項５】
各アニメーション表示状態がアニメーションのフェーズを含み、各フェーズが表示状態である、請求項１に記載の方法。
【請求項６】
前記ページ番号が「序数−アルファ」番号付け方式を使用する、請求項２に記載の方法。
【請求項７】
前記番号付け方式が、メジャー要素およびマイナー要素を含む２つの序数を使用する、請求項６に記載の方法。
【請求項８】
下記の式を使って序数を割り当てるスライド番号付け方式を使用する、請求項６に記載の方法。
＜Ｏ１，Ｏ２，Ｏ３，．．．、Ｏｎ＞
但し、すべての０＜ｉ＜ｎに対して、Ｏｉ＜Ｏｉ＋１である。
【請求項９】
前記序数がメジャー要素およびマイナー要素を含み、同じスライドのすべての表示状態がメジャー要素を有する、請求項８に記載の方法。
【請求項１０】
各々が１つ又は複数の表示状態を含む複数のスライドを収容する対話式コンピュータ・ベースのプレゼンテーションを作成するためのソフトウェア・プログラムと、
前記ソフトウェア・プログラムを使って作られたプレゼンテーションと、
前記プレゼンテーションにおける各アニメーション表示状態にラベルを割り当てるように構成されたプロセッサと、
を含む情報処理システム。
【請求項１１】
前記ラベルがページ番号である、請求項１０に記載のシステム。
【請求項１２】
前記ラベルが連続的順序で付される、請求項１０に記載のシステム。
【請求項１３】
前記スライドが状態を含み、その初期の状態が表示状態である、請求項１０に記載のシステム。
【請求項１４】
各アニメーション表示状態がアニメーションのフェーズを含み、各フェーズが表示状態である、請求項１０に記載のシステム。
【請求項１５】
前記ページ番号が「序数−アルファ」番号付け方式を使用する、請求項１１に記載のシステム。
【請求項１６】
前記番号付け方式が、メジャー要素およびマイナー要素を含む２つの序数を使用する、請求項１５に記載のシステム。
【請求項１７】
下記の式を使って序数を割り当てるスライド番号付け方式を使用する、請求項１０に記載のシステム。
＜Ｏ１，Ｏ２，Ｏ３，．．．、Ｏｎ＞
但し、すべての０＜ｉ＜ｎに対して、Ｏｉ＜Ｏｉ＋１である。
【請求項１８】
前記序数がメジャー要素およびマイナー要素を含み、同じスライドのすべての表示状態がメジャー要素を有する、請求項１７に記載のシステム。
【請求項１９】
少なくとも１つのスライドを含む対話式コンピュータ・ベースのプレゼンテーションを作成するための、コンピュータ・プログラムであって、当該コンピュータに、
各々が複数のアニメーション表示状態を含む複数のスライドを受け取るステップと、
各アニメーション表示状態にラベルを付するステップであって、各ラベルはアニメーション表示状態を一意に識別する、ステップと、
を実行させる、コンピュータ・プログラム。
【発明の詳細な説明】
【技術分野】
【０００１】
本発明は、一般的云えば、電子スライド・プレゼンテーションのために使用される個人の生産性ソフトウェアの分野に関し、特に、電子スライド・プレゼンテーションでのスライドのためのアニメーション表示状態を一意的にラベル付けすることに関するものである。
【背景技術】
【０００２】
視聴覚的プレゼンテーションは、ビジネス環境、学究活動、および法廷活動においては極めて一般的である。電子スライド・プレゼンテーション・ソフトウェアは、談話、講演、および他の言語コミュニケーションに視覚的要素またはマルチメディア要素を加えるために、ビジネス、学究活動、および政府機関において広く使用されている。一般的なプレゼンテーションでは、話し手は、プレゼンテーションの進行の一環として一連のスライドを表示することがあろう。これらのスライドは、適切な電子的投影技術あるいは表示技術を使用して表示され、話し手と共通の場にある聴衆メンバーが話し手の言葉を聞き、話し手のスライドを見ることを可能にする。さらに、話し手と共通の場にない聴衆メンバーは、多くの場合、話し手の音声を聞くために、およびプレゼンテーション・スライドの視覚的な伝送を受けるために、通信リンクを使用する。 
【０００３】
しかし、少なくとも何人かの聴衆メンバーがプレゼンテーション・サイトに対して音声接続しか持たないときの多くの実例が存在する。例えば、聴衆のメンバーが地理的に分散し、しかも、電話会議コールが、プレゼンテーションの視覚的部分ではなく音声部分を送信するために使用されるときに、この状況が生じる。それが技術的理由または経済的理由のためであっても、これらの遠隔の聴衆メンバーは、プレゼンテーション・スライドのリアルタイムの視覚的な送信を受けることができない。これらの状況では、遠隔の聴衆メンバーは、多くの場合、事前にそのプレゼンテーション・スライドのコピーを受け取るか、あるいはウェブサイトからスライドにアクセスするというような従来の装置によってそのプレゼンテーションの期間中そのスライドを見ることができる。一般的には、遠隔の聴衆メンバーは、話し手からの音声の合図に基づいてそのプレゼンテーション・スライドのローカル・コピーを手操作で事前に準備する。これらの音声のオーディオ合図は、次のページに進むべきときにも信号を送る。 
【０００４】
現在、話し手が遠隔の位置からスライド表示を手動で進めるとき、話し手との同期を保つことが難しい場合が多い。主な問題点の１つは、プレゼンテーションを強調するために、多くのスライドが「移り変わり効果（transitioneffect）」を使用することである。これらの移り変わり効果、または表示アニメーションは、スライドの内容および外観がその最初の表示後にダイナミックに変わることを可能にする。マイクロソフト PowerPoint および Lotus Freelance のような電子スライド・プレゼンテーション・ソフトウェアの現在の実施態様は、アニメーション状態を明示的にラベル付けせず、したがって、これらの状態を明示的に参照する方法がない。遠隔の聴衆メンバーは、話し手の音声の合図に基づいて話し手のスライド・ページに対してその聴衆メンバーのスライド・ページを同期させることが可能であるかもしれないが、表示アニメーションと完全に同期させる方法はない。
【発明の開示】
【発明が解決しようとする課題】
【０００５】
本発明は、電子スライド・プレゼンテーションのアニメーション状態を一意的に且つ明示的にラベル付けする方法を求める要求に応えることである。 
【課題を解決するための手段】
【０００６】
簡単に言えば、本発明の実施例によれば、１つの方法は、各々が複数のアニメーション表示状態を含む複数のスライドを受け取るステップと、各々がアニメーション表示状態を一意的に識別する一意的なラベルを各アニメーション表示状態に付するステップとを含む。
【０００７】
この方法は、プログラム可能な情報処理システムによって実行される機械実行可能な命令として、あるいはアプリケーションに特化した集積回路（ＡＳＩＣ）のような特殊計算装置におけるハード・コーディングされたロジックとして具現化することも可能である。
【発明を実施するための最良の形態】
【０００８】
スライドの個々のアニメーション表示状態を一意的にラベル付けする機能は、ユーザが、より融通性のある電子プレゼンテーションを達成するために表示状態を都合よく参照および操作することを可能にする。各表示状態を参照するこの機能は、遠隔の聴衆メンバーが、スライド・プレゼンテーションのローカルのコピーを手操作で進めながら話し手と容易に同期を保つことを可能にする。
【０００９】
一旦表示状態がラベル付けされると、それらのラベルは、スライド・プレゼンテーションの観察可能な状態を正確に参照するために使用することができる。例えば、話し手は、周期的に現在の表示状態のラベルを知らせることにより、遠隔の聴衆メンバーとプレゼンテーションとの同期を保つことができる。さらに、プレゼンテーション開発者は、それらのスライド・プレゼンテーションの部分をより正確に編集、印刷、ナビゲート、および、一般には、操作するために表示状態を使用することができる。 
【００１０】
スライドのアニメーション表示状態を、スライドのプレゼンテーションの個別の観察可能な状態として定義することにする。これらは移り変わり効果としても知られている。スライドの初期表示は１つの表示状態であり、スライドのその後の各移り変わり効果は個別の且つ異なる表示状態である。スライド・プレゼンテーションにおける極めて共通する技術は、１つのリストの各要素に対する一連の表示状態を使用してそのリストを提示することである。リストの第１の要素が初期表示状態において明らかにされ、次に、それに続く要素が一つずつ明らかにされる。
【００１１】
図１を参照すると、既知の技術によるラベル付けに伴う電子スライド・プレゼンテーションにおけるスライド１００の複数の表示状態を表す図が示される。初期表示状態１１０は、スライド１００の第１の表示を示す。表示状態１２０および表示状態１３０は、それぞれスライド１００の第２および第３の表示を示す。左下隅に示されたこのスライドに対するページ番号１０２は、スライドが３つのアニメーション状態を通して推移しても同じままであることに留意されたい。
【００１２】
図２を参照すると、本発明の実施例に従って、図１からのスライドの複数の表示状態を表す図を、各表示状態の一意的なラベル付けと共に示される。スライド２００は図１におけるスライドと同じスライドであり、同じ３つのアニメーション表示状態を有する。しかし、スライド２００は、スライドの左下隅における各表示状態の一意的なラベル付けを示す。第１の表示状態２１０はページ番号分野フィールド２０２においてラベル「１ａ」を示す。 表示状態２２０および２３０は、それぞれ連続的なページ番号「１ｂ」および「１ｃ」を示す。スライドの個々の各アニメーション状態を一意的にラベル付けすることによって、各状態は、他の状態とは別々に参照することが可能である。
【００１３】
図２の例におけるページ番号が「序数−アルファ」番号付け方式を使用していることに留意されたい。メジャー要素およびマイナー要素から成る２つの序数を使用する番号付け方式を使用することも可能である。下記の定式を使用して、プレゼンテーションの順序で各表示状態に序数を割り当てるスライド番号付け方式を説明する。
＜Ｏ１，Ｏ２，Ｏ３，．．．Ｏｎ＞
但し、すべての０＜ｉ＜ｎに対して、Ｏｉ＜Ｏｉ＋１である。
【００１４】
図３は、表示状態の削除時にアニメーション表示状態を自動的に再番号付けするために本発明の実施例による方法を使用する方法の例を示す。表示状態３０２、３０４、および３０６が、それぞれ１ａ、１ｂ、および１ｃにラベル付けされる。第２の表示状態３０４がユーザによって削除されるとき、自動再番号付けが生じる。本来第３の表示状態に対して使用されるブロック３０６におけるラベル１ｃが、ブロック３１０に示されるようにラベル１ｂに更新される。同様に、表示状態の挿入は、その結果として出力表示状態の再番号付けを生じさせるであろう。
【００１５】
次に図４を参照すると、スライド４０２、４０４、４０６、および４０８の４つの個別の表示状態が、ユーザが印刷のために表示状態４０６の1つだけを選択した場合に関して示される。各表示状態は、スライドの左下隅に示された一意的な表示状態ラベル（１.１、１.２、１.３、および１.４）を割り当てられる。ユーザが、例えば、表示状態を印刷するためにそれらの表示状態の１つを操作したいとき、ユーザは、その表示状態ラベルを使用して表示状態を識別する。この例では、それは「１.３」である。表示状態「１.３」を持つその選択されたスライド４０６だけが印刷される。
【００１６】
その表示状態のラベル付けは、現在可能であるものよりも優れた粒状レベルでプレゼンテーション・スライドを制御することを可能にする。このきめの細かい制御がプレゼンテーションの作成および編集時には有用である。表示状態ラベル付けに関する１つの好ましい実施例は、表示状態を他のプレゼンテーション・アプリケーション機能に統合することである。それらのプレゼンテーション・アプリケーション機能は、印刷、ナビゲーション、エクスポート、コピー、およびスライド再整理を含むが、それに限定されない。 
【００１７】
図５には、本発明の別の実施例に従って、情報処理システム５００のブロック図が示される。システム５００は、プロセッサー５０２、メモリ５０４、および入出力（Ｉ／Ｏ）サブシステム５０６を含む。メモリ５０４はランダム・アクセス・メモリーまたは大容量記憶装置のいずれかを表わす。それは揮発性または不揮発性であってもよい。メモリ５０４は、オペレーティング・システム５０８および本発明を実施し得るプレゼンテーション・アプリケーション５１０を含む。システム５００は、さらにハードディスク・ドライブのような磁気媒体の大量記憶装置を含むことも可能である。
【００１８】
Ｉ／Ｏサブシステム５０６は、ディスプレイ、キーボード、およびマウスのような様々なエンドユーザ・インターフェースを含むことが可能である。Ｉ／Ｏサブシステム５０６は、さらにローカル・エリア・ネットワーク（ＬＡＮ）のようなネットワークまたはインターネットのよう広域ネットワーク（ＷＡＮ）への接続を含むことが可能である。
【００１９】
本発明の別の実施例によれば、ＣＤ−ＲＯＭのようなコンピュータ可読媒体が、本発明に従ってプログラム可能なコンピュータを操作するためのプログラム命令を含み得る。上述したものは、プログラム可能なコンピュータ装置の高度に単純化されたものである。コンピュータ装置のいずれの実用的な応用例においても、他の低レベルのコンポーネントおよび接続体が必要であることは当業者には明らかであろう。 
【００２０】
従って、現時点では好ましい実施例であると考えられるものを説明したが、発明の趣旨および範囲内で他の修正を施し得ることは当業者には明らかであろう。
【図面の簡単な説明】
【００２１】
【図１】従来技術による、電子スライド・プレゼンテーションにおいて単一のスライドに対するアニメーション表示状態のラベル付けを示す概略図である。
【図２】本発明の実施例による、図１の単一のスライドに対するアニメーション表示状態のラベル付けを示す概略図である。
【図３】本発明の実施例による、アニメーション状態の削除時における表示状体ラベルの自動更新を示す概略図である。
【図４】本発明の実施例に従って、スライドの特定のアニメーション状態が一意的に参照および印刷される方法を示す概略図である。
【図５】本発明の実施例に従って、情報処理システムのブロック図を示す概略図である。
【図１】
2007257640.tif 000003
【図２】
2007257640.tif 000004
【図３】
2007257640.tif 000005
【図４】
2007257640.tif 000006
【図５】
2007257640.tif 000007